(57)【特許請求の範囲】
【請求項１】
液透過性の肌当接側シート、液不透過性の肌非当接側シート、及びこれら肌当接側シートと肌非当接側シートとの間に配置された吸収体を含む吸収性本体と、肌当接側シートの表面を覆うカバーシートとを具備した吸収性物品であって、
カバーシートの周縁領域が吸収性本体に接合されると共に、カバーシートの中央領域に、弱め線又は切断線からなる区画線により、吸収性本体を衣類に固定するための複数のフラップが区画され、これらフラップが、吸収性本体の前端縁及び後端縁にそれぞれ沿う前折り曲げ領域及び後折り曲げ領域においてそれぞれ折り曲げられ前後方向に拡げられる前フラップ及び後フラップを含み、使用時に前フラップ及び後フラップが前折り曲げ領域及び後折り曲げ領域においてそれぞれ折り曲げられ拡げられて衣類にそれぞれ固着され、
前折り曲げ領域が吸収体の前端縁よりも長手方向外側に位置し又は後折り曲げ領域が吸収体の後端縁よりも長手方向外側に位置するように、区画線が形成される、
吸収性物品。
【請求項２】
前フラップ及び後フラップの長さが互いに異なるように、かつ、長さが短い方のフラップのための折り曲げ領域が吸収体の対応する前端縁又は後端縁よりも長手方向外側に位置するように、区画線が形成される、請求項１に記載の吸収性物品。
【請求項３】
前フラップが後フラップよりも短くなるように、かつ前折り曲げ領域が吸収体の前端縁よりも長手方向外側に位置するように、区画線が形成される、請求項１又は２に記載の吸収性物品。
【請求項４】
長さが長い方のフラップのための折り曲げ領域が吸収体の対応する前端縁又は後端縁よりも長手方向内側に位置するように、区画線が形成される、請求項２又は３に記載の吸収性物品。
【請求項５】
後フラップが前フラップよりも長くなるように、かつ後折り曲げ領域が吸収体の後端縁よりも長手方向内側に位置するように、区画線が形成される、請求項２から４までのいずれか一項に記載の吸収性物品。
【請求項６】
長さが長い方のフラップが拡げられたときに該フラップの装着者側の面から吸収体に到る連通路が形成されるように、該フラップと、該フラップが重ねられるカバーシート部分とにそれぞれ貫通路が形成される、請求項４又は５に記載の吸収性物品。
【発明の詳細な説明】
【技術分野】
【０００１】
本発明は吸収性物品に関する。
【背景技術】
【０００２】
液透過性の肌当接側シート、液不透過性の肌非当接側シート、及びこれら肌当接側シートと肌非当接側シートとの間に配置された吸収体を含む吸収性本体と、肌当接側シートの表面を覆うカバーシートとを具備した吸収性物品であって、カバーシートの周縁領域が吸収性本体に接合されると共に、カバーシートの中央領域に、弱め線からなる区画線により、吸収性本体を衣類に固定するための複数のフラップが区画され、これらフラップが、吸収性本体の前端縁及び後端縁にそれぞれ沿う前折り曲げ領域及び後折り曲げ領域においてそれぞれ折り曲げられ前後方向に拡げられる前フラップ及び後フラップから構成され、使用時に前フラップ及び後フラップが前折り曲げ領域及び後折り曲げ領域においてそれぞれ折り曲げられ拡げられて衣類にそれぞれ固着される、吸収性物品が公知である（特許文献１参照）。この吸収性物品では、カバーシートによって肌当接側シートが保護されつつ、吸収性本体が衣類に確実に固定される。
【先行技術文献】
【特許文献】
【０００３】
【特許文献１】実開平９−５１２４５４号公報
【発明の概要】
【発明が解決しようとする課題】
【０００４】
経血や尿といった被吸収液はまず肌当接側シートに到り、次いで肌当接側シートを通過して吸収体に到り、吸収体に吸収される。ところが、必ずしもすべての被吸収液が瞬時に吸収体に吸収されるわけではなく、したがって被吸収液の一部が肌当接側シート上に残る場合がある。この被吸収液が肌当接側シート表面に沿って移動し、前折り曲げ領域又は後折り曲げ領域を越えて吸収性物品の外部に流出すると、いわゆる液漏れを生ずることになる。
【０００５】
特許文献１ではこの技術的課題について何ら考慮していない。
【課題を解決するための手段】
【０００６】
前記課題を解決するために本発明によれば、液透過性の肌当接側シート、液不透過性の肌非当接側シート、及びこれら肌当接側シートと肌非当接側シートとの間に配置された吸収体を含む吸収性本体と、肌当接側シートの表面を覆うカバーシートとを具備した吸収性物品であって、カバーシートの周縁領域が吸収性本体に接合されると共に、カバーシートの中央領域に、弱め線又は切断線からなる区画線により、吸収性本体を衣類に固定するための複数のフラップが区画され、これらフラップが、吸収性本体の前端縁及び後端縁にそれぞれ沿う前折り曲げ領域及び後折り曲げ領域においてそれぞれ折り曲げられ前後方向に拡げられる前フラップ及び後フラップを含み、使用時に前フラップ及び後フラップが前折り曲げ領域及び後折り曲げ領域においてそれぞれ折り曲げられ拡げられて衣類にそれぞれ固着され、前折り曲げ領域が吸収体の前端縁よりも長手方向外側に位置し又は後折り曲げ領域が吸収体の後端縁よりも長手方向外側に位置するように、区画線が形成される、
吸収性物品が提供される。
【発明の効果】
【０００７】
肌当接側シートの保護及び吸収性本体の固定を確保しながら、液漏れの発生を確実に抑制することができる。
【図面の簡単な説明】
【０００８】
【図１】生理用ナプキンの正面図である。
【図２】図１の線ＩＩ−ＩＩに沿ってみた生理用ナプキンの概略横断面図である。
【図３】フラップを展開した図１の生理用ナプキンの正面図である。
【図４】使用時における前折り曲げ領域周りを示す、図１の生理用ナプキンの概略部分縦断面図である。
【図５】使用時における後折り曲げ領域周りを示す、図１の生理用ナプキンの概略部分縦断面図である。
【図６】本発明による別の実施例を示す生理用ナプキンの正面図である。
【図７】使用時における後折り曲げ領域周りを示す、図６の生理用ナプキンの概略部分縦断面図である。
【図８】本発明による更に別の実施例を示す生理用ナプキンの正面図である。
【図９】フラップの変更例を示す生理用ナプキンの正面図である。
【発明を実施するための形態】
【０００９】
図１及び図２は本発明を生理用ナプキンに適用した場合を示している。しかしながら、本発明をパンティーライナ、失禁パッドといった他の吸収性物品に適用することもできる。
【００１０】
図１及び図２を参照すると、本発明による実施例の生理用ナプキン（以下、単に「ナプキン」とも言う。）１は吸収性本体２を具備する。この吸収性本体２は液透過性の肌当接側シート３と、液不透過性の肌非当接側シート４と、これら肌当接側シート３と肌非当接側シート４との間に配置された液保持性の吸収体５とを具備する。肌当接側シート３及び肌非当接側シート４はほぼ同じ大きさであり、これらの周縁部分２Ｐにおいてホットメルト接着剤、ヒートシール加工等により互いに接合される。また、使用時に下着のような衣類に向けられる肌非当接側シート４の外面には、吸収性本体２を衣類に固着するための粘着剤６が適用され、この粘着剤６は剥離シート片７によって覆われている。
【００１１】
なお、２Ｆ，２Ｂ，２Ｌ，２Ｒはナプキン１ないし吸収性本体２の前端縁、後端縁、左側縁、右側縁を、５Ｆ，５Ｂ，５Ｌ，５Ｒは吸収体５の前端縁、後端縁、左側縁、右側縁を、それぞれ示している。これらの場合の前後左右は装着者の身体の前後左右に対応している。
【００１２】
使用時に装着者の肌に当接する肌当接側シート３の表面は液不透過性のカバーシート８によって覆われている。このカバーシート８は吸収性本体２とほぼ同じ大きさであり、したがって肌当接側シート３のほぼ全面を覆っている。また、カバーシート８はその環状の周縁領域８Ｐにおいてホットメルト接着剤、ヒートシール加工等により肌当接側シート３ないし吸収性本体２に接合される。これに対し、周縁領域８Ｐ以外の領域である中央領域８Ｃは肌当接側シート３に接合されない。
【００１３】
カバーシート８の中央領域８Ｃには、区画線９があらかじめ形成されており、この区画線９によって中央領域８Ｃに、吸収性本体２を衣類に固定するための複数のフラップが区画ないし形成される。区画線９はカバーシート８を完全に切断する切断線から構成される。なお、区画線９をミシン目のような弱め線から構成することもできる。
【００１４】
本発明による実施例では、区画線９は、前端縁２Ｆに向け拡開するＵ字状曲線部分９Ｆと、後端縁２Ｂに向け拡開するＵ字状曲線部分９Ｂと、カバーシート８のほぼ中央においてこれら曲線部分９Ｆ，９Ｂの頂点を互いに結ぶ直線部分９Ｓとから構成される。その結果、中央領域８Ｃには、４つのフラップ、すなわち半長円状の前フラップ１０Ｆ及び後フラップ１０Ｂと、台形状の左フラップ１０Ｌ及び右フラップ１０Ｒとが区画される。ここで、左右フラップ１０Ｌ，１０Ｒは互いに対称的に位置している。
【００１５】
この場合、区画線９は周縁領域８Ｐまで到達しておらず、したがって区画線９の末端と周縁領域８Ｐとの間に非切断領域８Ｎが形成される。
【００１６】
また、前側の区画線部分９Ｆの末端９ＦＥが吸収体５の前端縁５Ｆよりも長手方向外側に位置し、後側の区画線部分９Ｂの末端９ＢＥが吸収体５の後端縁５Ｂよりも長手方向内側に位置するように、区画線９が形成される。
【００１７】
更に、前フラップ１０Ｆ及び後フラップ１０Ｂの長手方向長さが互いに異なるように、区画線９が形成されている。すなわち、前フラップ１０Ｆの長手方向長さＬＦが後フラップ１０Ｂの長手方向長さＬＢよりも長くなるように、区画線９が形成されている。
【００１８】
これらフラップ１０Ｆ，１０Ｂ，１０Ｌ，１０Ｒの外面にはそれぞれ対応するフラップ１０Ｆ，１０Ｂ，１０Ｌ，１０Ｒを衣類に固着するための粘着剤１１が適用されている。また、これら粘着剤１１は共通の剥離シート片１２によって覆われている。
【００１９】
本発明による実施例では、ナプキン１の長手方向長さＬは例えば２３０ｍｍ以上であり、好ましくは２５０ｍｍ以上３５０ｍｍ以下である。
【００２０】
次に、各要素の素材について説明する。
【００２１】
肌当接側シート３は例えば有孔又は無孔の不織布や多孔性プラスチックシートから構成される。
【００２２】
肌非当接側シート４は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成される。
【００２３】
吸収体５は例えばフラッフ状パルプ又はエアレイド不織布と高吸収ポリマーとから構成される。ここで、フラッフ状パルプは例えば化学パルプ、セルロース繊維、レーヨン、アセテート等の人工セルロース繊維から構成され、エアレイド不織布は例えばパルプと合成繊維とを熱融着させ又はバインダーで固着させた不織布から構成され、高吸収ポリマーは例えばデンプン系、アクリル酸系、アミノ酸系の粒子状又は繊維状のポリマーから構成される。
【００２４】
粘着剤６，１１は例えばスチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト粘着剤から構成される。
【００２５】
カバーシート８は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成され、好ましくは疎水性不織布から構成される。カバーシート８の坪量は１５ｇ／ｍ２から６０ｇ／ｍ２が好ましい。プラスチックフィルムから構成される場合には、プラスチックフィルムのドレープ性はカンチレバー法で２０ｍｍから１００ｍｍが好ましく、３０ｍｍから７０ｍｍが更に好ましい。ドレープ性が２０ｍｍよりも小さいと、カバーシート８が撚れ易くなるからである。一方、ドレープ性が１００ｍｍよりも大きいと、カバーシート８が硬くなるので、ナプキン１の使用感を悪化させるおそれがあり、衣類への追従性が低下して被吸収液が漏れるおそれがあるからである。
【００２６】
なお、上述のカンチレバー法はＪＩＳ−Ｌ１０１８に準じて次のように行われる。すなわち、長さ１５０ｍｍ、幅２５ｍｍの測定対象を５枚重ねて測定サンプルを得る。次いで、大栄科学精器製作所製のカンチレバーを用い、測定サンプルをカンチレバーの押さえ板下に挟み、斜面方向に滑らせ速度５ｍｍ／ｓｅｃで移動距離を自動測定する。測定サンプルの表面を下にした場合と、測定サンプルの裏面を下にした場合の両方について測定し、これらの平均を測定結果とする。
【００２７】
さて、ナプキン１は次のようにして衣類に固着される。すなわち、まず、肌非当接側シート４側の剥離シート片７が取り外され、ナプキン１ないし吸収性本体２が粘着剤６を介し衣類に固着される。このとき肌当接側シート３はカバーシート８によって覆われているので、肌当接側シート３が汚れるのが阻止されている。
【００２８】
次いで、カバーシート８側の剥離シート片１２が取り外される。その結果、互いに分離した４つのフラップ１０Ｆ，１０Ｂ，１０Ｌ，１０Ｒが形成される。
【００２９】
次いで、図３に示されるように、これらフラップ１０Ｆ，１０Ｂ，１０Ｌ，１０Ｒがそれぞれ拡げられる。すなわち、前フラップ１０Ｆは前端縁２Ｆに沿う前折り曲げ領域１４Ｆにおいて折り曲げられて前方向に拡げられ、後フラップ１０Ｂは後端縁２Ｂに沿う後折り曲げ領域１４Ｂにおいて折り曲げられて後方向に拡げられる。また、左フラップ１０Ｌは左側縁２Ｌに沿う左折り曲げ領域１４Ｌにおいて折り曲げられて左方向に拡げられ、右フラップ１０Ｒは右側縁２Ｒに沿う右折り曲げ領域１４Ｒにおいて折り曲げられて右方向に拡げられる。その結果、肌当接側シート３が露出される。
【００３０】
次いで、フラップ１０Ｆ，１０Ｂ，１０Ｌ，１０Ｒがそれぞれの粘着剤１１を介し衣類に固着される。すなわち、図４に示されるように前フラップ１０Ｆが吸収性本体２前方の衣類Ｃの内面に固着され、図５に示されるように後フラップ１０Ｂが吸収性本体２後方の衣類Ｃの内面に固着される。また、左フラップ１０Ｌ及び右フラップ１０Ｒが吸収性本体２下方の衣類Ｃの外面にそれぞれ固着される。
【００３１】
その結果、吸収性本体２にさまざまな方向の外力が作用しても、吸収性本体２の捩れや位置ずれを抑制することができる。すなわち、吸収性本体２を衣類に確実に固定することができ、したがって被吸収液の漏れを抑制することができる。また、漏れに対する装着者の不安をなくすことができる。
【００３２】
ここで、図１及び図３からわかるように、前折り曲げ領域１４Ｆは区画線部分９Ｆの両末端９ＦＥを結ぶ直線上に位置する。したがって、図３及び図４に示されるように、前折り曲げ領域１４Ｆは吸収体５の前端縁５Ｆよりも長手方向外側に位置する。その結果、吸収性本体２の前端縁２Ｆと吸収体５の前端縁５Ｆとの間に受容溝１５Ｆが形成される。
【００３３】
冒頭で述べたように、被吸収液が肌当接側シート３の表面上を移動する場合があり、被吸収液が前折り曲げ領域１４Ｆを越えるといわゆる液漏れが生じてしまう。
【００３４】
これに対し、本発明による実施例では、前折り曲げ領域１４Ｆに向かう被吸収液は受容溝１５Ｆ内に受容され、次いで吸収体５内に吸収される。したがって、被吸収液が前折り曲げ領域１４Ｆを越えるのを抑制でき、前折り曲げ領域１４Ｆ周りにおいて液漏れの発生を抑制できる。
【００３５】
同様に、左折り曲げ領域１４Ｌ及び右折り曲げ領域１４Ｒは互いに隣接する末端９ＦＥ，９ＢＥを結ぶ直線上に位置し、図３に示されるように吸収体５の左端縁５Ｌ及び右端縁５Ｒよりも横断方向外側に位置する。その結果、吸収性本体２の左端縁２Ｌと吸収体５の左端縁５Ｌとの間、吸収性本体２の右端縁２Ｒと吸収体５の右端縁５Ｒとの間にそれぞれ受容溝１５Ｌ，１５Ｒが形成される。したがって、左折り曲げ領域１４Ｌ周り及び右折り曲げ領域１４Ｒ周りにおいても液漏れの発生が抑制される。
【００３６】
これに対し、後折り曲げ領域１４Ｂは区画線部分９Ｂの両末端９ＢＥを結ぶ直線上に位置し、したがって図３及び図５に示されるように、吸収体５の後端縁５Ｂよりも長手方向内側に位置する。その結果、後折り曲げ領域１４Ｂが吸収体５上に位置する。また、後フラップ１０Ｂと残りのカバーシート８とが互いに重なり合う重複領域１６Ｂが形成され、この重複領域１６Ｂは吸収体５と重なっている。
【００３７】
このようにすると、後折り曲げ領域１４Ｂが肌当接側シート３上に位置するので、肌当接側シート３表面上の被吸収液の流れが後折り曲げ領域１４Ｂによって妨げられる。この被吸収液は次いで後折り曲げ領域１４Ｂによって直下方の吸収体５に案内され、吸収される。その結果、後折り曲げ領域１４Ｂ周りにおいても液漏れが抑制される。
【００３８】
更に、本発明による実施例では、前フラップ１０Ｆの長手方向長さＬＦが後フラップ１０Ｂの長手方向長さＬＢよりも短くなっている。その結果、使用時に、前フラップ１０Ｆが衣類の腹側からはみ出すリスクが低減される。これに対し、後フラップ１０Ｂが長くなっても、衣類の尻側からはみ出すリスクはほとんどない。
【００３９】
また、前フラップ１０Ｆ及び後フラップ１０Ｂの形状が互いに異なっているので、あるいは左フラップ１０Ｌ及び右フラップ１０Ｒが吸収性物品１ないし吸収性本体２の前側に位置しているので、装着者がナプキン１の向きを容易に把握することもできる。
【００４０】
なお、周縁領域８Ｐの幅は２ｍｍから１０ｍｍが好ましく、３ｍｍから５ｍｍが更に好ましい。周縁領域８Ｐの幅が２ｍｍよりも狭いと、カバーシート８と吸収性本体２との接合強度が低下するからである。また、周縁領域８Ｐの幅が１０ｍｍよりも広いと、フラップ１０Ｆ，１０Ｂ，１０Ｌ，１０Ｒが拡げられたときに露出される肌当接側シート３の表面が狭くなるからである。すなわち、肌当接側シートが広く露出されると、ナプキン１ないし吸収性本体２の衣類Ｃに対する固着位置が適正位置から多少外れたとしても、被吸収液の漏れを抑制できる。
【００４１】
また、前側の区画線部分９Ｆの末端９ＦＥとナプキン１の前端縁２Ｆとの間の距離は２ｍｍから１０ｍｍが好ましく、３ｍｍから５ｍｍが更に好ましい。これに対し、後側の区画線部分９Ｂの末端９ＢＥとナプキン１の後端縁２Ｂとの間の距離は１０ｍｍから２０ｍｍが好ましく、１３ｍｍから１５ｍｍが更に好ましい。ナプキン１の製造時に資材が蛇行した場合にも、吸収体５が周縁部分２Ｐに位置しないようにするためである。
【００４２】
図６は本発明による別の実施例を示している。
【００４３】
図６に示される例では、後側の区画線部分９Ｂの末端９ＢＥに隣接して、カバーシート８を貫通する例えば一対の貫通路１７Ｂが形成される。より正確に言うと、後フラップ１０Ｂと、後フラップ１０Ｂが拡げられたときに後フラップ１０Ｂに重ねられるカバーシート８の部分とに、貫通路１７Ｂがそれぞれ形成される。
【００４４】
これら貫通路１７Ｂは図７に示されるように、後フラップ１０Ｂが拡げられたときに形成される重複領域１６Ｂにおいて互いに整列され、それにより後フラップ１０Ｂの装着者側の面１０Ｗから肌当接側シート３を介し吸収体５に到る連通路１８Ｂが形成される。
【００４５】
その結果、被吸収液が後折り曲げ領域１４Ｂを越えて流れたとしても、被吸収液がこの連通路１８Ｂを通って吸収体５に到り、したがって液漏れのリスクが低減される。
【００４６】
図８は本発明による別の実施例を示している。なお、図８において剥離シート片１２は省略されている。
【００４７】
図８に示される例では、後側の区画線部分９Ｂの末端９ＢＥからほぼ長手方向に延びる延長部分１９Ｂがカバーシート８にそれぞれ形成される。これら延長部分１９Ｂは例えばミシン目のような弱め線から構成される。
【００４８】
延長部分１９Ｂは破断されると区画線９として作用し、その結果、後フラップ１０Ｂの長手方向長さが長くされる。すなわち、延長部分１９Ｂが破断されない場合には後フラップ１０Ｂの長手方向長さはＬＢであるのに対し、延長部分１９Ｂがすべて破断されると後フラップ１０Ｂの長手方向長さがＬＢＬまで長くされる。
【００４９】
当然、延長部分１９Ｂを部分的に破断することもできる。したがって、装着者は、破断する延長部分１９Ｂの長さを調節することによって、後フラップ１０Ｂの長手方向長さをＬＢとＬＢＬとの間で調節することができる。
【００５０】
この場合、後フラップ１０Ｂの長手方向長さが変更されると、後折り曲げ領域１４Ｂの位置も変更される。図８に示される例では、後フラップ１０Ｂの長手方向長さがＬＢＬまで長くされると、後折り曲げ領域１４Ｂが吸収体５の長手方向外側に位置される。
【００５１】
なお、前側の区画線部分１０Ｆに延長部分を接続して前フラップ１０Ｆの長手方向長さが調節可能になるようにしてもよい。
【００５２】
上述の実施例では、カバーシート８の中央領域８Ｃに４つのフラップが区画されるように区画線９が形成されている。しかしながら、前フラップ１０Ｆ及び後フラップ１０Ｂを含む限り、フラップの数を２もしくは３、又は４つよりも多くすることができる。
【００５３】
図９は２つのフラップ、すなわち前フラップ１０Ｆ及び後フラップ１０Ｂのみが区画される例を示している。この例では、前フラップ１０Ｆ及び後フラップ１０Ｂは共通の部分９Ｃを有する区画線部分９Ｆ，９Ｂによってそれぞれ区画され、長方形状をなしている。なお、図９において剥離シート片１２は省略されている。
【００５４】
また、上述の実施例では、前折り曲げ領域１４Ｆが吸収体５の前端縁５Ｆよりも長手方向外側に位置し、後折り曲げ領域１４Ｂが吸収体５の後端縁５Ｂよりも長手方向内側に位置している。しかしながら、前折り曲げ領域１４Ｆが吸収体５の前端縁５Ｆよりも長手方向外側に位置し、後折り曲げ領域１４Ｂも吸収体５の後端縁５Ｂよりも長手方向外側に位置してもよい。あるいは、前折り曲げ領域１４Ｆが吸収体５の前端縁５Ｆよりも長手方向内側に位置し、後折り曲げ領域１４Ｂが吸収体５の後端縁５Ｂよりも長手方向外側に位置してもよい。この場合、前折り曲げ領域１４Ｆ周りのカバーシート８に貫通路を形成してもよい。
【００５５】
更に、上述の実施例では、前フラップ１０Ｆ及び後フラップ１０Ｂの長さが互いに異なっている。しかしながら、前フラップ１０Ｆ及び後フラップ１０Ｂの長さが互いに等しくてもよい。
【符号の説明】
【００５６】
１    生理用ナプキン
２    吸収性本体
３    肌当接側シート
４    肌非当接側シート
５    吸収体
５Ｆ    吸収体の前端縁
５Ｂ    吸収体の後端縁
８    カバーシート
９    区画線
１０Ｆ    前フラップ
１０Ｂ    後フラップ
１４Ｆ    前折り曲げ領域
１４Ｂ    後折り曲げ領域
【図１】
0005398622.tif 000002
【図２】
0005398622.tif 000003
【図３】
0005398622.tif 000004
【図４】
0005398622.tif 000005
【図５】
0005398622.tif 000006
【図６】
0005398622.tif 000007
【図７】
0005398622.tif 000008
【図８】
0005398622.tif 000009
【図９】
0005398622.tif 000010